【事件の表示】
　特願２０１４−　３３２７６「無線通信システム用のグループ鍵の配布および管理のシステムおよび方法」拒絶査定不服審判事件〔平成２６年　７月　３日出願公開、特開２０１４−１２３９７９〕について、次のとおり審決する。
【結　論】
　本件審判の請求は、成り立たない。
【理　由】
第１　手続の経緯
　本件請求に係る出願（以下「本願」という。）は，２００８年３月２５日（以下「優先日」という。）のアメリカ合衆国における出願を基礎とするパリ条約による優先権主張を伴った，２００９年３月２４日を国際出願日とする特願２０１１−５０１９８７号の一部を，平成２６年２月２４日に新たな特許出願としたものであって，その後の手続の経緯の概略は次のとおりである。
　　平成２６年　３月　４日　　　：出願審査請求書，上申書，及び，
　　　　　　　　　　　　　　　　　手続補正書の提出
　　平成２６年　９月１０日付け　：拒絶理由の通知
　　平成２７年　１月１４日　　　：意見書，手続補正書の提出
　　平成２７年　１月２９日付け　：拒絶査定（同年２月３日謄本送達）
　　平成２７年　６月　３日　　　：審判請求書，手続補正書の提出
　　平成２７年　６月３０日　　　：前置報告
第２　平成２７年６月３日付けの手続補正についての補正却下の決定
［補正却下の決定の結論］
　平成２７年６月３日付けの手続補正を却下する。
［理由］
１．補正の内容
　平成２７年６月３日付けの手続補正（以下，「本件補正」という。）の内容は，平成２７年１月１４日付けの手続補正により補正された特許請求の範囲の記載
「　【請求項１】
　少なくとも１つのアクセスノードと通信するための通信インターフェースと，
　前記通信インターフェースに結合されたプロセッサであって，
　　アクセス端末のアクティブセット内にあるアクセスノードのアクティブセットリストを維持し，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　　前記アクティブセット内の各アクセスノードの一時ユニキャスト鍵を入手し，
　　前記アクセス端末と前記アクティブセット内の前記アクセスノードとの間の通信のために第１グループ鍵を生成し，
　　前記アクティブセット内の第１アクセスノードの第１一時ユニキャスト鍵を用いて前記第１グループ鍵を暗号化し，
　　前記暗号化された第１グループ鍵を前記第１アクセスノードに送信する
　ように構成されたプロセッサと
　を備え，
　前記プロセッサは，
　前記アクティブセット内の他のアクセスノードの他の一時ユニキャスト鍵を用いて前記第１グループ鍵を暗号化し，
　前記暗号化された第１グループ鍵のそれぞれを，その一時ユニキャスト鍵を用いて前記第１グループ鍵を暗号化した対応するアクセスノードに送信し，
　アクセスノードがそのアクティブセットから除去される時に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される
　ようにさらに構成される，アクセス端末。
　　【請求項２】
　前記一時ユニキャスト鍵のそれぞれは，前記アクセス端末と対応するアクセスノードとの両方に既知の対ごとの一時ユニキャスト鍵である，請求項１に記載のアクセス端末。
　　【請求項３】
　前記プロセッサは，
　前記通信インターフェースを介してアクセスノードについて一方的にスキャンし，
　１つまたは複数のアクセスノードが識別される時に，前記１つまたは複数のアクセスノードをアクセスノードの前記アクティブセットに追加し，
　前記アクセスノードが前記アクティブセットに追加される時に，前記アクセスノードのそれぞれと共に一意の一時ユニキャスト鍵を確立する
　ようにさらに構成される，請求項１に記載のアクセス端末。
　　【請求項４】
　前記プロセッサは，
　前記通信インターフェースを介して無線通信サービスに関する現在のサービングアクセスノードとして前記アクティブセットからアクセスノードを自律的に選択し，前記アクセス端末との間の無線通信は，前記サービングアクセスノードを介してルーティングされる
　ようにさらに構成される，請求項１に記載のアクセス端末。
　　【請求項５】
　前記プロセッサは，
　前記アクティブセット内の異なるアクセスノードが前記現在のサービングアクセスノードよりよい無線通信サービスを提供できるかどうかを判定し，
　新しいサービングアクセスノードが前記現在のサービングアクセスノードよりよい無線通信サービスを提供する場合に，前記現在のサービングアクセスノードから前記新しいサービングアクセスノードに通信サービスを一方的に切り替える
　ようにさらに構成される，請求項４に記載のアクセス端末。
　　【請求項６】
　前記プロセッサは，
　前記第１グループ鍵を用いて暗号化されたマルチキャストメッセージを送信する
　ようにさらに構成される，請求項１に記載のアクセス端末。
　　【請求項７】
　前記プロセッサは，
　前記第１グループ鍵を用いて署名されたマルチキャストメッセージを送信する
　ようにさらに構成される，請求項１に記載のアクセス端末。
　　【請求項８】
　アクセス端末のアクティブセット内にあるアクセスノードのアクティブセットリストを維持することと，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　前記アクティブセット内の各アクセスノードの一時ユニキャスト鍵を入手することと，
　前記アクセス端末と前記アクティブセット内の前記アクセスノードとの間の通信のために第１グループ鍵を生成することと，
　前記アクティブセット内の第１アクセスノードの第１一時ユニキャスト鍵を用いて前記第１グループ鍵を暗号化することと，
　前記暗号化された第１グループ鍵を前記第１アクセスノードに送信することと
　を備え，
　前記アクティブセット内の他のアクセスノードの他の一時ユニキャスト鍵を用いて前記第１グループ鍵を暗号化することと，
　　前記暗号化された第１グループ鍵のそれぞれを，その一時ユニキャスト鍵を用いて前記第１グループ鍵を暗号化した対応するアクセスノードに送信することと，
　アクセスノードがそのアクティブセットから除去される時に，前記第１グループ鍵を第２グループ鍵に置換することと，
　前記第２グループ鍵の暗号化された版をそのアクティブセット内の前記アクセスノードに配布することとをさらに備え，前記第２グループ鍵の前記暗号化された版は，前記アクティブセット内の各アクセスノードの前記一時ユニキャスト鍵を用いて暗号化される，
　アクセス端末上で動作する方法。
　　【請求項９】
　アクセスノードについてスキャンすることと，
　１つまたは複数のアクセスノードが識別される時に，前記１つまたは複数のアクセスノードをアクセスノードの前記アクティブセットに追加することと，
　前記アクセスノードが前記アクティブセットに追加される時に，前記アクセスノードのそれぞれと共に一意の一時ユニキャスト鍵を確立することと
　をさらに備える，請求項８に記載の方法。
　　【請求項１０】
　無線通信サービスに関する現在のサービングアクセスノードとして前記アクティブセットからアクセスノードを一方的に選択することであって，前記アクセス端末との間の無線通信は，前記サービングアクセスノードを介してルーティングされ，
　をさらに備える，請求項８に記載の方法。
　　【請求項１１】
　前記アクティブセット内の異なるアクセスノードが前記現在のサービングアクセスノードよりよい無線通信サービスを提供できるかどうかを判定することと，
　新しいサービングアクセスノードが前記現在のサービングアクセスノードよりよい無線通信サービスを提供する場合に，前記現在のサービングアクセスノードから前記新しいサービングアクセスノードに通信サービスを一方的に切り替えることと
　をさらに備える，請求項１０に記載の方法。
　　【請求項１２】
　前記第１グループ鍵を用いて暗号化されたマルチキャストメッセージを送信すること
　をさらに備える，請求項８に記載の方法。
　　【請求項１３】
　前記第１グループ鍵を用いて署名されたマルチキャストメッセージを送信すること
　をさらに備える，請求項８に記載の方法。
　　【請求項１４】
　アクセス端末のアクティブセット内にあるアクセスノードのアクティブセットリストを維持するための手段と，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　前記アクティブセット内の各アクセスノードの一時ユニキャスト鍵を入手するための手段と，
　前記アクセス端末と前記アクティブセット内の前記アクセスノードとの間の通信のために第１グループ鍵を生成するための手段と，
　前記アクティブセット内の第１アクセスノードの第１一時ユニキャスト鍵を用いて前記第１グループ鍵を暗号化するための手段と，
　前記暗号化された第１グループ鍵を前記第１アクセスノードに送信するための手段と
　を備え，
　前記アクティブセット内の他のアクセスノードの他の一時ユニキャスト鍵を用いて前記第１グループ鍵を暗号化するための手段と，
　前記暗号化された第１グループ鍵のそれぞれを，その一時ユニキャスト鍵を用いて前記第１グループ鍵を暗号化した対応するアクセスノードに送信するための手段と，
　アクセスノードがそのアクティブセットから除去される時に，前記第１グループ鍵を第２グループ鍵に置換するための手段と，
　前記第２グループ鍵の暗号化された版をそのアクティブセット内の前記アクセスノードに配布するための手段をさらに備え，前記第２グループ鍵の前記暗号化された版は，前記アクティブセット内の各アクセスノードの前記一時ユニキャスト鍵を用いて暗号化される，アクセス端末。
　　【請求項１５】
　アクセスノードについてスキャンするための手段と，
　１つまたは複数のアクセスノードが識別される時に，前記１つまたは複数のアクセスノードをアクセスノードの前記アクティブセットに追加するための手段と，
　前記アクセスノードが前記アクティブセットに追加される時に，前記アクセスノードのそれぞれと共に一意の一時ユニキャスト鍵を確立するための手段と
　をさらに備える，請求項１４に記載のアクセス端末。
　　【請求項１６】
　前記第１グループ鍵を用いて暗号化されたマルチキャストメッセージを送信するための手段
　をさらに備える，請求項１４に記載のアクセス端末。
　　【請求項１７】
　アクセス端末のプロセッサによって実行された時に，前記プロセッサに，
　前記アクセス端末のアクティブセット内にあるアクセスノードのアクティブセットリストを維持させ，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　前記アクティブセット内の各アクセスノードの一時ユニキャスト鍵を入手させ，
　前記アクセス端末と前記アクティブセット内の前記アクセスノードとの間の通信のために第１グループ鍵を生成させ，
　前記アクティブセット内の第１アクセスノードの第１一時ユニキャスト鍵を用いて前記第１グループ鍵を暗号化させ，
　前記暗号化された第１グループ鍵を前記第１アクセスノードに送信させる
　前記アクセス端末から１つまたは複数のアクセスノードへの安全なマルチキャストメッセージ配布を容易にするための命令を備え，
　プロセッサによって実行された時に，前記プロセッサに，
　前記アクティブセット内の他のアクセスノードの他の一時ユニキャスト鍵を用いて前記第１グループ鍵を暗号化させ，
　前記暗号化された第１グループ鍵のそれぞれを，その一時ユニキャスト鍵を用いて前記第１グループ鍵を暗号化した対応するアクセスノードに送信させ，
　アクセスノードがそのアクティブセットから除去される時に，前記第１グループ鍵を第２グループ鍵に置換させ，
　前記第２グループ鍵の暗号化された版をそのアクティブセット内の前記アクセスノードに配布させ，前記第２グループ鍵の前記暗号化された版は，前記アクティブセット内の各アクセスノードの前記一時ユニキャスト鍵を用いて暗号化される
　命令をさらに備える，非一時的なコンピュータ可読媒体。
　　【請求項１８】
　プロセッサによって実行された時に，前記プロセッサに，
　アクセスノードについてスキャンさせ，
　１つまたは複数のアクセスノードが識別される時に，前記１つまたは複数のアクセスノードをアクセスノードの前記アクティブセットに追加させ，
　前記アクセスノードが前記アクティブセットに追加される時に，前記アクセスノードのそれぞれと共に一意の一時ユニキャスト鍵を確立させる
　命令をさらに備える，請求項１７に記載の非一時的なコンピュータ可読媒体。
　　【請求項１９】
　プロセッサによって実行された時に，前記プロセッサに，
　前記第１グループ鍵を用いて暗号化されたマルチキャストメッセージを送信させる
　命令をさらに備える，請求項１７に記載の非一時的なコンピュータ可読媒体。
　　【請求項２０】
　プロセッサによって実行された時に，前記プロセッサに，
　前記第１グループ鍵を用いて署名されたマルチキャストメッセージを送信させる
　命令をさらに備える，請求項１７に記載の非一時的なコンピュータ可読媒体。
　　【請求項２１】
　アクセス端末から１つまたは複数のアクセスノードへの安全なマルチキャストメッセージ配布を容易にするための前記アクセス端末の回路であって，
　前記アクセス端末のアクティブセット内にあるアクセスノードのアクティブセットリストを維持し，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　前記アクティブセット内の各アクセスノードの一時ユニキャスト鍵を入手し，
　前記アクセス端末と前記アクティブセット内の前記アクセスノードとの間の通信のために第１グループ鍵を生成し，
　前記アクティブセット内の第１アクセスノードの第１一時ユニキャスト鍵を用いて前記第１グループ鍵を暗号化し，
　前記暗号化された第１グループ鍵を前記第１アクセスノードに送信する
　ように適合され，
　前記アクティブセット内の他のアクセスノードの他の一時ユニキャスト鍵を用いて前記第１グループ鍵を暗号化し，
　前記暗号化された第１グループ鍵のそれぞれを，その一時ユニキャスト鍵を用いて前記第１グループ鍵を暗号化した対応するアクセスノードに送信し，
　アクセスノードがそのアクティブセットから除去される時に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される
　ようにさらに適合された，回路。
　　【請求項２２】
　前記第１グループ鍵を用いて暗号化されたマルチキャストメッセージを送信する
　ようにさらに適合された，請求項２１に記載の回路。
」（以下，この特許請求の範囲に記載された請求項を「補正前の請求項」という。）を，
「　【請求項１】
　
分散無線通信網の
　前記通信インターフェースに結合されたプロセッサであって，
　　アクセス端末のアクティブセット内にあるアクセスノードのアクティブセットリストを維持し，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　　前記アクティブセット内の各アクセスノードの一時ユニキャスト鍵を入手し，
　　前記アクセス端末と前記アクティブセット内の前記アクセスノードとの間の通信のために第１グループ鍵を生成し，
　　前記アクティブセット内の第１アクセスノードの第１一時ユニキャスト鍵を用いて前記第１グループ鍵を暗号化し，
　　前記暗号化された第１グループ鍵を前記第１アクセスノードに送信する
　ように構成されたプロセッサと
　を備え，
　前記プロセッサは，
　前記アクティブセット内の他のアクセスノードの他の一時ユニキャスト鍵を用いて前記第１グループ鍵を暗号化し，
　前記暗号化された第１グループ鍵のそれぞれを，対応するアクセスノードに送信し，
各第１グループ鍵は，前記対応するノードの一時ユニキャスト鍵で暗号化され，
　アクセスノードがそのアクティブセットから除去される時に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される
　ようにさらに構成される，
分散無線通信網にアクセスするための
　　【請求項２】
　前記一時ユニキャスト鍵のそれぞれは，前記アクセス端末と対応するアクセスノードとの両方に既知の対ごとの一時ユニキャスト鍵である，請求項１に記載のアクセス端末。
　　【請求項３】
　前記プロセッサは，
　前記通信インターフェースを介してアクセスノードについて一方的にスキャンし，
　１つまたは複数のアクセスノードが識別される時に，前記１つまたは複数のアクセスノードをアクセスノードの前記アクティブセットに追加し，
　前記アクセスノードが前記アクティブセットに追加される時に，前記アクセスノードのそれぞれと共に一意の一時ユニキャスト鍵を確立する
　ようにさらに構成される，請求項１に記載のアクセス端末。
　　【請求項４】
　前記プロセッサは，
　前記通信インターフェースを介して無線通信サービスに関する現在のサービングアクセスノードとして前記アクティブセットからアクセスノードを自律的に選択し，前記アクセス端末との間の無線通信は，前記サービングアクセスノードを介してルーティングされる
　ようにさらに構成される，請求項１に記載のアクセス端末。
　　【請求項５】
　前記プロセッサは，
　前記アクティブセット内の異なるアクセスノードが前記現在のサービングアクセスノードよりよい無線通信サービスを提供できるかどうかを判定し，
　新しいサービングアクセスノードが前記現在のサービングアクセスノードよりよい無線通信サービスを提供する場合に，前記現在のサービングアクセスノードから前記新しいサービングアクセスノードに通信サービスを一方的に切り替える
　ようにさらに構成される，請求項４に記載のアクセス端末。
　　【請求項６】
　前記プロセッサは，
　前記第１グループ鍵を用いて暗号化されたマルチキャストメッセージを送信する
　ようにさらに構成される，請求項１に記載のアクセス端末。
　　【請求項７】
　前記プロセッサは，
　前記第１グループ鍵を用いて署名されたマルチキャストメッセージを送信する
　ようにさらに構成される，請求項１に記載のアクセス端末。
　　【請求項８】
　アクセス端末のアクティブセット内にある
分散無線通信網の
　前記アクティブセット内の各アクセスノードの一時ユニキャスト鍵を入手することと，
　前記アクセス端末と前記アクティブセット内の前記アクセスノードとの間の通信のために第１グループ鍵を生成することと，
　前記アクティブセット内の第１アクセスノードの第１一時ユニキャスト鍵を用いて前記第１グループ鍵を暗号化することと，
　前記暗号化された第１グループ鍵を前記第１アクセスノードに送信することと
　を備え，
　前記アクティブセット内の他のアクセスノードの他の一時ユニキャスト鍵を用いて前記第１グループ鍵を暗号化することと，
　　前記暗号化された第１グループ鍵のそれぞれを，対応するアクセスノードに送信することと，
各第１グループ鍵は，前記対応するノードの一時ユニキャスト鍵で暗号化され，
　アクセスノードがそのアクティブセットから除去される時に，前記第１グループ鍵を第２グループ鍵に置換することと，
　前記第２グループ鍵の暗号化された版をそのアクティブセット内の前記アクセスノードに配布することとをさらに備え，前記第２グループ鍵の前記暗号化された版は，前記アクティブセット内の各アクセスノードの前記一時ユニキャスト鍵を用いて暗号化される，
　
分散無線通信網にアクセスするための
　　【請求項９】
　アクセスノードについてスキャンすることと，
　１つまたは複数のアクセスノードが識別される時に，前記１つまたは複数のアクセスノードをアクセスノードの前記アクティブセットに追加することと，
　前記アクセスノードが前記アクティブセットに追加される時に，前記アクセスノードのそれぞれと共に一意の一時ユニキャスト鍵を確立することと
　をさらに備える，請求項８に記載の方法。
　　【請求項１０】
　無線通信サービスに関する現在のサービングアクセスノードとして前記アクティブセットからアクセスノードを一方的に選択することであって，前記アクセス端末との間の無線通信は，前記サービングアクセスノードを介してルーティングされ，
　をさらに備える，請求項８に記載の方法。
　　【請求項１１】
　前記アクティブセット内の異なるアクセスノードが前記現在のサービングアクセスノードよりよい無線通信サービスを提供できるかどうかを判定することと，
　新しいサービングアクセスノードが前記現在のサービングアクセスノードよりよい無線通信サービスを提供する場合に，前記現在のサービングアクセスノードから前記新しいサービングアクセスノードに通信サービスを一方的に切り替えることと
　をさらに備える，請求項１０に記載の方法。
　　【請求項１２】
　前記第１グループ鍵を用いて暗号化されたマルチキャストメッセージを送信すること
　をさらに備える，請求項８に記載の方法。
　　【請求項１３】
　前記第１グループ鍵を用いて署名されたマルチキャストメッセージを送信すること
　をさらに備える，請求項８に記載の方法。
　　【請求項１４】
　アクセス端末のアクティブセット内にある
分散無線通信網の
　前記アクティブセット内の各アクセスノードの一時ユニキャスト鍵を入手するための手段と，
　前記アクセス端末と前記アクティブセット内の前記アクセスノードとの間の通信のために第１グループ鍵を生成するための手段と，
　前記アクティブセット内の第１アクセスノードの第１一時ユニキャスト鍵を用いて前記第１グループ鍵を暗号化するための手段と，
　前記暗号化された第１グループ鍵を前記第１アクセスノードに送信するための手段と
　を備え，
　前記アクティブセット内の他のアクセスノードの他の一時ユニキャスト鍵を用いて前記第１グループ鍵を暗号化するための手段と，
　前記暗号化された第１グループ鍵のそれぞれを
，対
各第１グループ鍵は，前記対応するノードの一時ユニキャスト鍵で暗号化され，
　アクセスノードがそのアクティブセットから除去される時に，前記第１グループ鍵を第２グループ鍵に置換するための手段と，
　前記第２グループ鍵の暗号化された版をそのアクティブセット内の前記アクセスノードに配布するための手段をさらに備え，前記第２グループ鍵の前記暗号化された版は，前記アクティブセット内の各アクセスノードの前記一時ユニキャスト鍵を用いて暗号化される，アクセス端末。
　　【請求項１５】
　アクセスノードについてスキャンするための手段と，
　１つまたは複数のアクセスノードが識別される時に，前記１つまたは複数のアクセスノードをアクセスノードの前記アクティブセットに追加するための手段と，
　前記アクセスノードが前記アクティブセットに追加される時に，前記アクセスノードのそれぞれと共に一意の一時ユニキャスト鍵を確立するための手段と
　をさらに備える，請求項１４に記載のアクセス端末。
　　【請求項１６】
　前記第１グループ鍵を用いて暗号化されたマルチキャストメッセージを送信するための手段
　をさらに備える，請求項１４に記載のアクセス端末。
　　【請求項１７】
　アクセス端末のプロセッサによって実行された時に，前記プロセッサに，
　前記アクセス端末のアクティブセット内にある
分散無線通信網の
　前記アクティブセット内の各アクセスノードの一時ユニキャスト鍵を入手させ，
　前記アクセス端末と前記アクティブセット内の前記アクセスノードとの間の通信のために第１グループ鍵を生成させ，
　前記アクティブセット内の第１アクセスノードの第１一時ユニキャスト鍵を用いて前記第１グループ鍵を暗号化させ，
　前記暗号化された第１グループ鍵を前記第１アクセスノードに送信させる
　前記アクセス端末から
分散無線通信網の
行なう
　プロセッサによって実行された時に，前記プロセッサに，
　前記アクティブセット内の他のアクセスノードの他の一時ユニキャスト鍵を用いて前記第１グループ鍵を暗号化させ，
　前記暗号化された第１グループ鍵のそれぞれを
，対
各第１グループ鍵は，前記対応するノードの一時ユニキャスト鍵で暗号化され，
　アクセスノードがそのアクティブセットから除去される時に，前記第１グループ鍵を第２グループ鍵に置換させ，
　前記第２グループ鍵の暗号化された版をそのアクティブセット内の前記アクセスノードに配布させ，前記第２グループ鍵の前記暗号化された版は，前記アクティブセット内の各アクセスノードの前記一時ユニキャスト鍵を用いて暗号化される
　命令をさらに備える，非一時的なコンピュータ可読媒体。
　　【請求項１８】
　プロセッサによって実行された時に，前記プロセッサに，
　アクセスノードについてスキャンさせ，
　１つまたは複数のアクセスノードが識別される時に，前記１つまたは複数のアクセスノードをアクセスノードの前記アクティブセットに追加させ，
　前記アクセスノードが前記アクティブセットに追加される時に，前記アクセスノードのそれぞれと共に一意の一時ユニキャスト鍵を確立させる
　命令をさらに備える，請求項１７に記載の非一時的なコンピュータ可読媒体。
　　【請求項１９】
　プロセッサによって実行された時に，前記プロセッサに，
　前記第１グループ鍵を用いて暗号化されたマルチキャストメッセージを送信させる
　命令をさらに備える，請求項１７に記載の非一時的なコンピュータ可読媒体。
　　【請求項２０】
　プロセッサによって実行された時に，前記プロセッサに，
　前記第１グループ鍵を用いて署名されたマルチキャストメッセージを送信させる
　命令をさらに備える，請求項１７に記載の非一時的なコンピュータ可読媒体。
　　【請求項２１】
　アクセス端末から
分散無線通信網の
　前記アクセス端末のアクティブセット内にある
分散無線通信網の
　前記アクティブセット内の各アクセスノードの一時ユニキャスト鍵を入手し，
　前記アクセス端末と前記アクティブセット内の前記アクセスノードとの間の通信のために第１グループ鍵を生成し，
　前記アクティブセット内の第１アクセスノードの第１一時ユニキャスト鍵を用いて前記第１グループ鍵を暗号化し，
　前記暗号化された第１グループ鍵を前記第１アクセスノードに送信する
　ように適合され，
　前記アクティブセット内の他のアクセスノードの他の一時ユニキャスト鍵を用いて前記第１グループ鍵を暗号化し，
　前記暗号化された第１グループ鍵のそれぞれを
，対
各第１グループ鍵は，前記対応するノードの一時ユニキャスト鍵で暗号化され，
　アクセスノードがそのアクティブセットから除去される時に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される
　ようにさらに適合された，回路。
　　【請求項２２】
　前記第１グループ鍵を用いて暗号化されたマルチキャストメッセージを送信する
　ようにさらに適合された，請求項２１に記載の回路。」（当審注：下線は，請求人が付与したものである。以下，この特許請求の範囲に記載された請求項を「補正後の請求項」という。）に補正するものである。
　そして，本件補正は，願書に最初に添付した明細書，特許請求の範囲又は図面に記載した事項の範囲内においてなされており，特許法第１７条の２第３項の規定に適合している。
 また，補正前の請求項に係る発明と，補正後の請求項に係る発明とは，同一の特別な技術的特徴を有するものであり，特許法第１７条の２第４項の規定に適合している。
２．目的要件
　本件補正が，特許法第１７条の２第５項の規定を満たすものであるか否か，すなわち，本件補正が，特許法第１７条の２第５項に規定する請求項の削除，特許請求の範囲の減縮（特許法第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る），誤記の訂正，或いは，明りょうでない記載の釈明（拒絶理由通知に係る拒絶の理由に示す事項についてするものに限る）の何れかを目的としたものであるかについて，以下に検討する。
（１）補正前の請求項と，補正後の請求項とを比較すると，補正後の請求項１〜２２はそれぞれ，補正前の請求項１〜２２に対応することは明らかである。
（２）補正後の請求項１に係る補正は，下記の補正事項１〜３よりなるものである。
＜補正事項１＞
　補正前の請求項１の「少なくとも１つのアクセスノード」との記載を，
　補正後の請求項１の「分散無線通信網の少なくとも１つのアクセスノード」に限定する補正。
＜補正事項２＞
　補正前の請求項１の「前記暗号化された第１グループ鍵のそれぞれを，その一時ユニキャスト鍵を用いて前記第１グループ鍵を暗号化した対応するアクセスノードに送信し」との記載を，
　補正後の請求項１の「前記暗号化された第１グループ鍵のそれぞれを，対応するアクセスノードに送信し，各第１グループ鍵は，前記対応するノードの一時ユニキャスト鍵で暗号化され」に変更する補正。
＜補正事項３＞
　補正前の請求項１の「アクセス端末」との記載を，
　補正後の請求項１の「分散無線通信網にアクセスするためのアクセス端末」に限定する補正。
（３）補正後の請求項８に係る補正は，下記の補正事項４〜６よりなるものである。
＜補正事項４＞
　補正前の請求項８の「アクセスノード」との記載を，
　補正後の請求項８の「分散無線通信網のアクセスノード」に限定する補正。
＜補正事項５＞
　補正前の請求項８の「前記暗号化された第１グループ鍵のそれぞれを，その一時ユニキャスト鍵を用いて前記第１グループ鍵を暗号化した対応するアクセスノードに送信し」との記載を，
　補正後の請求項８の「前記暗号化された第１グループ鍵のそれぞれを，対応するアクセスノードに送信することと，各第１グループ鍵は，前記対応するノードの一時ユニキャスト鍵で暗号化され」に変更する補正。
＜補正事項６＞
　補正前の請求項８の「アクセス端末」との記載を，
　補正後の請求項８の「分散無線通信網にアクセスするためのアクセス端末」に限定する補正。
（４）補正後の請求項１４に係る補正は，下記の補正事項７〜８よりなるものである。
＜補正事項７＞
　補正前の請求項１４の「アクセスノード」との記載を，
　補正後の請求項１４の「分散無線通信網のアクセスノード」に限定する補正。
＜補正事項８＞
　補正前の請求項１４の「前記暗号化された第１グループ鍵のそれぞれを，その一時ユニキャスト鍵を用いて前記第１グループ鍵を暗号化した対応するアクセスノードに送信するための手段と」との記載を，
　補正後の請求項１４の「前記暗号化された第１グループ鍵のそれぞれを，対応するアクセスノードに送信するための手段と，各第１グループ鍵は，前記対応するノードの一時ユニキャスト鍵で暗号化され」に変更する補正。
（５）補正後の請求項１７に係る補正は，下記の補正事項９〜１２よりなるものである。
＜補正事項９＞
　補正前の請求項１７の「アクセスノード」との記載を，
　補正後の請求項１７の「分散無線通信網のアクセスノード」に限定する補正。
＜補正事項１０＞
　補正前の請求項１７の「１つまたは複数のアクセスノード」との記載を，
　補正後の請求項１７の「分散無線通信網の１つまたは複数のアクセスノード」に限定する補正。
＜補正事項１１＞
　補正前の請求項１７の「安全なマルチキャストメッセージ配布を容易にする」との記載を，
　補正後の請求項１７の「安全なマルチキャストメッセージ配布を行なう」に限定する補正。
＜補正事項１２＞
　補正前の請求項１７の「前記暗号化された第１グループ鍵のそれぞれを，その一時ユニキャスト鍵を用いて前記第１グループ鍵を暗号化した対応するアクセスノードに送信させ，」との記載を，
　補正後の請求項１７の「前記暗号化された第１グループ鍵のそれぞれを，対応するアクセスノードに送信させ，各第１グループ鍵は，前記対応するノードの一時ユニキャスト鍵で暗号化され」に変更する補正。
（６）補正後の請求項２１に係る補正は，下記の補正事項１３〜１６よりなるものである。
＜補正事項１３＞
　補正前の請求項２１の「１つまたは複数のアクセスノード」との記載を，
　補正後の請求項２１の「分散無線通信網の１つまたは複数のアクセスノード」に限定する補正。
＜補正事項１４＞
　補正前の請求項２１の「安全なマルチキャストメッセージ配布を容易にする」との記載を，
　補正後の請求項２１の「安全なマルチキャストメッセージ配布を行なう」に限定する補正。
＜補正事項１５＞
　補正前の請求項２１の「アクセスノード」との記載を，
　補正後の請求項２１の「分散無線通信網のアクセスノード」に限定する補正。
＜補正事項１６＞
　補正前の請求項２１の「前記暗号化された第１グループ鍵のそれぞれを，その一時ユニキャスト鍵を用いて前記第１グループ鍵を暗号化した対応するアクセスノードに送信し」との記載を，
　補正後の請求項２１の「前記暗号化された第１グループ鍵のそれぞれを，対応するアクセスノードに送信し，各第１グループ鍵は，前記対応するノードの一時ユニキャスト鍵で暗号化され」に限定する補正。
（７）補正事項１〜１６について検討する。
＜補正事項１，３〜４，６〜７，９〜１０，１３，１５について＞
　上記補正事項は，「アクセスノード」について，「分散無線通信網」の「アクセスノード」に限定して下位概念化する補正である。
　そして，これによって当該発明の産業上の利用分野及び解決しようとする課題が格別変更されるものではない。
　したがって，当該補正事項の目的は，請求項に記載した発明特定事項を限定するものであって，その補正前後の当該請求項に記載された発明の産業上の利用分野及び解決しようとする課題が同一であるもの（以下，単に「限定的減縮」という。）に該当する。
＜補正事項２，５，８，１２，１６について＞
　補正前の請求項１の「その一時ユニキャスト鍵を用いて前記第１グループ鍵を暗号化した対応するアクセスノード」との表現は，「その」が「アクセスノードの」を意味すると解釈でき，「そのアクセスノードの一時ユニキャスト鍵を用いて前記第１グループ鍵を暗号化した」「（一時ユニキャスト鍵に）対応するアクセスノード」と解することができる。
　そうすると，補正前の請求項１の「前記暗号化された第１グループ鍵のそれぞれを，その一時ユニキャスト鍵を用いて前記第１グループ鍵を暗号化した対応するアクセスノードに送信し」を，補正後の請求項１の「前記暗号化された第１グループ鍵のそれぞれを，対応するアクセスノードに送信し，各第１グループ鍵は，前記対応するノードの一時ユニキャスト鍵で暗号化され」に変更する前記補正事項２は，実質的な技術的事項を変更するものではなく「一時ユニキャスト鍵を用いて前記第１グループ鍵を暗号化」する処理の表現を明りょうにする補正である。
　当該補正事項の目的は，明りょうでない記載の釈明に該当する。
　補正事項５，８，１２，１６についても同様である。
＜補正事項１１，１４について＞
　上記補正事項は，「安全なマルチキャストメッセージ配布」処理について，「容易にする」を「行なう」に変更する補正である。
　当該補正事項の目的は，明りょうでない記載の釈明に該当する。
　したがって，本件補正の特許請求の範囲についてする補正は，特許法第１７条の２第５項各号に掲げる事項を目的とするものである。
３．独立特許要件
　以上のように，本件補正は，限定的減縮を目的とする上記補正事項１，３〜４，６〜７，９〜１０，１３，１５を含むものである。そこで，限定的減縮を目的として補正された補正後の請求項１に記載された発明（以下，「本件補正発明」という。）が特許出願の際独立して特許を受けることができるものであるか（特許法第１７条の２第６項において準用する同法第１２６条第７項の規定に適合するか）以下に検討する。
（１）本件補正発明
　本件補正発明は，上記平成２７年６月３日付けの手続補正により補正された特許請求の範囲，明細書及び図面の記載からみて，その特許請求の範囲の請求項１に記載された以下のとおりのものと認める。
「分散無線通信網の少なくとも１つのアクセスノードと通信するための通信インターフェースと，
　前記通信インターフェースに結合されたプロセッサであって，
　　アクセス端末のアクティブセット内にあるアクセスノードのアクティブセットリストを維持し，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　　前記アクティブセット内の各アクセスノードの一時ユニキャスト鍵を入手し，
　　前記アクセス端末と前記アクティブセット内の前記アクセスノードとの間の通信のために第１グループ鍵を生成し，
　　前記アクティブセット内の第１アクセスノードの第１一時ユニキャスト鍵を用いて前記第１グループ鍵を暗号化し，
　　前記暗号化された第１グループ鍵を前記第１アクセスノードに送信する
　ように構成されたプロセッサと
　を備え，
　前記プロセッサは，
　前記アクティブセット内の他のアクセスノードの他の一時ユニキャスト鍵を用いて前記第１グループ鍵を暗号化し，
　前記暗号化された第１グループ鍵のそれぞれを，対応するアクセスノードに送信し，各第１グループ鍵は，前記対応するノードの一時ユニキャスト鍵で暗号化され，
　アクセスノードがそのアクティブセットから除去される時に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される
　ようにさらに構成される，分散無線通信網にアクセスするためのアクセス端末。」
（２）引用文献
ア．引用文献１に記載されている技術的事項及び引用発明
　本願優先日前に頒布され，原審の拒絶査定の理由である上記平成２６年９月１０日付けの拒絶理由通知（以下，「原審拒絶理由」という。）において引用された，特開２００２−１１１６７９号公報（平成１４年４月１２日公開，以下，「引用文献１」という。）には，関連する図面とともに，以下の技術的事項が記載されている。（当審注：下線は，参考のために当審で付与したものである。）
Ａ．「【０００２】
【従来の技術】
閉域通信網とは，グループを形成する特定の通信端末間でのみ通信することができる通信網である。閉域通信網は，例えば
情報暗号化等を利用し，特定グループの通信端末間で通信網を仮想的に専用線化することにより，閉域通信網を構築することもできる。
Ｂ．「【０００９】
本発明の好ましい実施例では，グループ通信の開始を示す制御メッセージの送信に先立って，上記第１の通信端末からグループ構成端末にグループ通信で使用すべき暗号キーを通知するステップを含む。
初期状態で形成された閉域通信網の構成端末と新たに参加する通信端末との間でグループ構成端末を追加するための制御手順を実行することによって，閉域通信網の規模を柔軟に変更する。
【００１０】
本発明による通信端末装置は，通信メッセージを送受信するための送受信回路と，表示装置と，ユーザによって操作される入力装置と，通信メッセージの送受信を制御する接続制御プログラムを格納した記憶部と，上記接続制御プログラムを実行するプロセッサとを有し
Ｃ．「【００１３】
無線端末１は，制御情報や制御プログラムを格納するためのメモリ２と，送受信データの無線変復調を行う送受信回路（Bluetooth Radioモジュール）３と，コンソール装置４と，コンソールインタフェース部５と，プロセッサ（ＣＰＵ）６とからなる。
【００１４】上記メモリ２には，制御用のソフトウエアとして，送受信制御を行うBluetoothコアプロトコル処理部２１と，通信コネクションを設定して呼制御を行うTelephony Controlプロトコル処理部２２と，端末の識別 (Authentication)及びサービス承認 (Authorization)の機能をもつセキュリティーマネージャ処理部２３とが装備されている。
本発明の無線端末１は，上記メモリ２が，更に，任意の複数の通信端末間にグループ通信用の閉域通信網（以下，ＣＵＧ（Closed Users Group）と記載する）を形成するための接続制御処理部２４と，ＣＵＧ構成端末に関する管理情報を記憶するためのメンバーリスト部２５を備えている。
・・・（中略）・・・
【００１６】すなわち，本発明では，ＣＵＧを形成する各無線端末１が，グループ通信用データであることを示すメッセージ種別とＣＵＧのグループ識別子とを付与したメッセージをブロードキャスト用チャネルで送出し，ＣＵＧ構成端末のみが上記メッセージを取り込むようにすることによって，ＣＵＧ構成端末間でのメッセージのマルチキャスト通信７（７Ａ，７Ｂ，７Ｃ，…）を可能としている。
尚，上記各無線端末が，ＣＵＧ毎に固有の暗号キーを用いて，送信メッセージの特定情報部分，例えば，ユーザ情報と特定の制御情報を暗号化し，ＣＵＧ構成端末のみに上記暗号化情報の解読キーを配布しておけば，ＣＵＧ構成端末以外の端末によるメッセージの傍受を防止した閉域性の高いグループ通信を実現できる。
Ｄ．「【００２２】図５は，メンバーリスト部２５に形成される各種の管理リストの１実施例を示す。
メンバーリスト部２５には
端末リスト２６０Ｂの４つの管理リストが形成される。
・・・（中略）・・・
【００２５】グループリスト２５０Ｂは，ユーザ（無線端末１）が加入手続したＣＵＧに関する管理情報を示し，
端末リスト２６０Ｂは，上記グループリスト２５０Ｂに登録された各ＣＵＧの構成端末に関する管理情報を示す。
端末リスト２６０Ｂの各エントリは，ＣＵＧを構成する各端末のユーザ名２６１Ａと，端末アドレス２６２Ｂと，ユーザ情報２６３Ｂと，各端末からの受信状態２６４Ｂを含む。上記受信状態２６４Ｂには，該当する端末から後述するキープアライブ要求（暗号キー変更の呼掛け），またはその応答を受信した場合にＯＮが登録される。
【００２６】各無線端末１は，加入したＣＵＧについて，端末リスト２６０Ｂに登録されている端末アドレスをセキュリティーマネージャ処理部２３に接続許可端末として登録することにより，該当端末から
Ｐ−Ｐ（Point-to-Point)コネクション
Ｅ．「【００３７】各無線端末は，呼び掛けメッセージ１０１とこれに対する応答メッセージを監視し，これらのメッセージの受信時に暫定グループリスト２５０Ａと暫定端末リスト２６０Ａに新たなエントリを登録する機能を備えている。
【００３８】無線端末１Ｂ，１Ｃは，上記呼び掛けメッセージ１０１を受信すると，暫定グループリスト２５０Ａと暫定端末リスト２６０Ａに上記呼び掛けメッセージが示すＣＵＧと対応した新たなエントリを登録する。暫定グループリスト２５０Ａの登録エントリには，呼掛けメッセージ１０１から抽出した暫定グループ識別子１０１Ｂとグループ種別１０１Ｅが設定される。また，暫定端末リスト２６０Ａの登録エントリには，呼掛けメッセージ１０１から抽出した端末アドレス１０１Ｃと，送信端末ユーザ情報１０１Ｆが示すユーザ名が設定される。無線端末１Ｂ，１Ｃは，上記呼び掛けメッセージ１０１を受信すると，コンソール画面を通して新たなＣＵＧの発生をユーザに通知し，ユーザからの応答入力を待つ。
【００３９】無線端末１Ｂ，１Ｃにおいて，ユーザが接続入力キー４１を選択し，コンソール画面に表示されたメニューの中から上記ＣＵＧのエントリを選択した場合，暫定グループリスト２５０Ａにおける選択ＣＵＧの管理情報エントリとこれに対応する暫定端末リスト２６０Ａの内容をそれぞれグループリスト２５０Ｂと端末リスト２６０Ｂに移した後，応答メッセージ１０２をブロードキャストする。
応答メッセージ１０２は
送信端末公開鍵１０２Ｄ
を含む。
【００４０】無線端末１Ｂ，１Ｃは，上記呼掛けメッセージに対する他の端末からの応答メッセージ１０２を監視し，他の端末からの応答メッセージ１０２を受信した場合，各応答メッセージから抽出した送信端末アドレス１０２Ｃと送信端末ユーザ情報１０２Ｅを含むエントリを生成し，上記暫定端末リスト２６０Ａに登録する。
このように，各無線端末１（１Ａ，１Ｂ，１Ｃ）は，呼掛けメッセージ１０１または応答メッセージ１０２を受信するたびに暫定端末リスト２６０Ａまたは端末リスト２６０Ａを更新し，新規ＣＵＧの構成端末リストを自律的に作成する。暫定端末リスト２６０Ａに登録されたエントリと，これに対応する端末リスト２６０Ａの内容は，呼掛けメッセージを受信してから所定時間が経過した時点で，自動的に消去される。
【００４１】新規ＣＵＧの呼掛け人となった無線端末１Ａは，初期メンバー確認期間（Ｔ１）が経過した時点で，上記新規ＣＵＧに関する暫定グループリスト２５０Ａのエントリと，これに対応する暫定端末リスト２６０Ａの内容をそれぞれグループリスト２５０Ｂと端末リスト２６０Ｂに移す。
【００４２】無線端末１Ａは，新規ＣＵＧを構成する各無線端末との間にＰ−Ｐコネクションを設定する。前述したように，各無線端末では，端末リスト２６０Ｂに登録されている端末アドレスについて，セキュリティーマネージャ処理部２３にＰ−Ｐ接続の許可登録をしているため，無線端末１Ｂ，１Ｃは，無線端末１ＡからのＰ−Ｐコネクションの設定要求を容認する。
無線端末１Ａは，無線端末１Ｂ，１Ｃとの間に設定したＰ−Ｐコネクションを通して，新規ＣＵＧで使用する共通暗号キーを設定した配布メッセージ１０３をそれぞれの端末に送信する。上記共通暗号キーの配布メッセージ１０３は
相手端末の公開鍵によって暗号化された共通暗号キー１０３Ｃとを含む。
【００４３】上記配布メッセージ１０３を受信した無線端末１Ｂ，１Ｃは，それぞれの秘密暗号鍵を使用して受信メッセージの暗号化部分１０３Ｃを復号化し，共通暗号キーを得る。無線端末１Ｂ，１Ｃは，復号化して得られた共通暗号キーをグループリスト２５０Ｂに暗号キー２５４Ｂとして登録する。一方，配布メッセージ１０３の送信元となった無線端末１Ａも，自分が送信した共通暗号キーをグループリスト２５０Ｂに暗号キー２５４Ｂとして登録している。
【００４４】無線端末１Ａは，共通暗号キーを配布した後，暗号キー切替えメッセージ１０４を生成し，これを新規ＣＵＧの構成端末に対してマルチキャストした後，通信フェーズ１１へ移行する。上記暗号キー切替えメッセージ１０４は，図１０に示すように，切替えメッセージコード１０４Ａと，共通暗号キーによって暗号化されたグループ識別子１０４Ｂとを含む。各無線端末１Ｂ，１Ｃは，上記切替えメッセージ１０４の受信を契機に通信フェーズ１１へ移行し，上記暗号キーで送受信情報を暗号化／復号化しながらグループ通信する。
【００４５】通信フェーズ１１において，ＣＵＧの各構成端末は，ユーザデータメッセージ１０５をマルチキャストすることによって，互いに通信する。ユーザデータメッセージ１０５は，ユーザデータであることを示すメッセージ種別コード１０５Ａと，グループ識別子１０５Ｂと，送信端末アドレス１０５Ｃと，ユーザデータ１０５Ｄからなり，このうち，送信端末アドレス１０５Ｃとユーザデータ１０５Ｄが共通暗号キーによって暗号化される。
上記共通暗号キーによって暗号化された情報は，同一の共通暗号キーを持つＣＵＧ構成端末においてのみが復号化できるため，ＣＵＧの各構成端末１（１Ａ，１Ｂ，１Ｃ）は閉域性の高いグループ通信を行うことが可能となる。
【００４６】
図７は，グループ通信を行っている無線端末１（１Ａ，１Ｂ，１Ｃ）が，通信フェーズ１１において，ＣＵＧの構成端末を定期的に確認し，端末リスト２６０Ｂを定期的に更新するためのキープアライブの処理シーケンスを示す。
無線端末１Ｂは，キープアライブタイマがタイムアウトすると，キープアライブ要求メッセージ１０６をマルチキャストし，一定期間（Ｔ３）応答を待つ。
【００４７】
キープアライブメッセージ１０６を受信した各無線端末（１Ａ，１Ｃ）は，キープアライブ応答として，自端末におけるグループ通信の継続を通知するための継続メッセージ１０７をマルチキャストする。上記継続メッセージ１０７は
送信端末の公開鍵１０７Ｅを含み
【００４８】キープアライブメッセージ１０６または継続メッセージ１０７を受信したＣＵＧの各構成端末は，端末リスト２６０Ｂにおいて，受信メッセージの送信端末と対応するエントリの受信状態フィールド２６４Ｂに通信継続中を示すＯＮフラグを立て，受信メッセージの送信端末が端末リスト２６０Ｂに未登録の場合は，新たなエントリを追加登録する。
【００４９】
キープアライブメッセージ１０６の送信元となった無線端末１Ｂは，継続メッセージ１０７を返送した各無線端末との間にＰ−Ｐコネクションを設定し，配布メッセージ１０３によって新たな共通暗号キーを配布する。
【００５０】ＣＵＧ構成端末１（１Ａ，１Ｂ，１Ｃ）は，切替えメッセージ１０４によってグループ識別子が新たな識別子に変更された場合は，これをグループリスト２５０Ｂに登録する。ＣＵＧの各構成端末は，切替えメッセージ１０４の送信または受信時点で，受信状態フィールド２６４ＢにＯＮフラグが立っていないエントリを端末リスト２６０Ｂから削除し，キープアライブタイマ（Ｃ）をランダムな設定値で再起動した後，ＣＵＧ通信動作を継続する。上記切替えメッセージ１０４の発行によって，ＣＵＧの各構成端末は，新しい共通暗号キーを適用し，場合によっては新しいグループ識別子を用いて，グループ通信を継続することになる。」
Ｆ．「【００５８】図９は，グループ通信中の無線端末１ＤがＣＵＧから離脱する場合の処理シーケンスを示す。これらの処理は，離脱端末１Ｄでは解消フェーズ１４，ＣＵＧの他の構成端末（１Ａ，１Ｂ，１Ｃ）では離脱フェーズ１３で実行される。離脱端末１Ｄのユーザが，コンソール画面で離脱入力キー４２を選択し，画面に表示されたグループ識別子４６の１つを選択して入力した場合，離脱端末１Ｄは，選択されたグループ識別子をもつＣＵＧの構成端末に対して離脱通知メッセージ１１２をマルチキャスト送信した後，グループリスト２５０Ｂから上記グループ識別子をもつ管理情報エントリを削除し，これと対応する端末リスト２６０Ｂを削除する。また，セキュリティーマネージャ処理部２３に通知して，上記ＣＵＧの各構成端末に関するＰ−Ｐ接続の許可を抹消する。
【００５９】上記離脱通知メッセージ１１２は，図１１に示すように，離脱通知であることを示すメッセージ種別コード１１２Ａと，グループ識別子１１２Ｂと，送信端末アドレス１１２Ｃを含む。これらの項目のうち，送信端末アドレス１１２Ｃは共通暗号キーで暗号化されている。
【００６０】
ＣＵＧの他の構成端末（１Ａ，１Ｂ，１Ｃ）は，上記離脱通知メッセージ１１２を受信すると，受信メッセージが示す離脱端末１Ｄのアドレスを端末リスト２６０Ｂから削除し
その後，各構成端末は，キープアライブタイマ（Ｃ）をランダムな設定値で再起動する。これによって，キープアライブタイマが最初にタイムアウトした無線端末がキープアライブ処理を開始し，ＣＵＧで使用する暗号キーを更新することになる。
　ここで，上記引用文献１に記載されている事項を検討する。
（ア）前記Ｂの段落【００１０】の「本発明による通信端末装置は，通信メッセージを送受信するための送受信回路と，表示装置と，ユーザによって操作される入力装置と，通信メッセージの送受信を制御する接続制御プログラムを格納した記憶部と，上記接続制御プログラムを実行するプロセッサとを有し」との記載，及び，前記Ｃの「無線端末１は，制御情報や制御プログラムを格納するためのメモリ２と，送受信データの無線変復調を行う送受信回路（Bluetooth Radioモジュール）３と，コンソール装置４と，コンソールインタフェース部５と，プロセッサ（ＣＰＵ）６とからなる。」との記載からすると，
　「無線端末」は，送受信データの無線変復調を行う「送受信回路」，及び，通信メッセージの送受信を制御する「プロセッサ」を備えるものであることが読み取れる。
　また，前記Ａの「閉域通信網とは，グループを形成する特定の通信端末間でのみ通信することができる通信網である。閉域通信網は，例えば・・・（中略）・・・情報暗号化等を利用し，特定グループの通信端末間で通信網を仮想的に専用線化することにより，閉域通信網を構築することもできる。」との記載，及び，前記Ｂの段落【０００９】の「初期状態で形成された閉域通信網の構成端末と新たに参加する通信端末との間でグループ構成端末を追加するための制御手順を実行することによって，閉域通信網の規模を柔軟に変更する。」との記載からすると，
　前記「送受信データの無線変復調を行う送受信回路」は，「閉域通信網」内の端末と通信するものであることが読み取れる。
　また，前記「閉域通信網」は，集中的な管理を行う装置を持たず，無線変復調により通信するものであるから，分散型無線ネットワークの一態様といえる。
　してみると，引用文献１には，
“分散型無線ネットワークである閉域通信網内の端末と通信する送受信回路と，通信メッセージの送受信を制御するプロセッサとを備える無線端末。”が記載されていると認められる。
（イ）前記Ｄの段落【００２５】の「端末リスト２６０Ｂは，上記グループリスト２５０Ｂに登録された各ＣＵＧの構成端末に関する管理情報を示す。」，「端末リスト２６０Ｂの各エントリは，ＣＵＧを構成する各端末のユーザ名２６１Ａと，端末アドレス２６２Ｂと，ユーザ情報２６３Ｂと，各端末からの受信状態２６４Ｂを含む。上記受信状態２６４Ｂには，該当する端末から後述するキープアライブ要求（暗号キー変更の呼掛け），またはその応答を受信した場合にＯＮが登録される。」，前記Ｅの段落【００４０】の「このように，各無線端末１（１Ａ，１Ｂ，１Ｃ）は，呼掛けメッセージ１０１または応答メッセージ１０２を受信するたびに暫定端末リスト２６０Ａまたは端末リスト２６０Ａを更新し，新規ＣＵＧの構成端末リストを自律的に作成する。暫定端末リスト２６０Ａに登録されたエントリと，これに対応する端末リスト２６０Ａの内容は，呼掛けメッセージを受信してから所定時間が経過した時点で，自動的に消去される。」との記載からすると，
　「端末リスト」は，閉域通信網内の，呼掛けに応答がある他の端末のリストであり，前記「無線端末」が，該「端末リスト」を作成し，更新することが読み取れる。
　さらに，前記Ｃの段落【００１４】の「本発明の無線端末１は，上記メモリ２が，更に，任意の複数の通信端末間にグループ通信用の閉域通信網（以下，ＣＵＧ（Closed Users Group）と記載する）を形成するための接続制御処理部２４と，ＣＵＧ構成端末に関する管理情報を記憶するためのメンバーリスト部２５を備えている。」との記載，及び，前記Ｄの段落【００２２】の「メンバーリスト部２５には・・・（中略）・・・端末リスト２６０Ｂの４つの管理リストが形成される。」との記載からすると，
　前記「無線端末」は，前記「端末リスト」を記憶することが読み取れる。
　また，前記（ア）で検討したとおり，前記「無線端末」の前記「プロセッサ」は，通信メッセージの送受信を制御するものであるから，上記処理も前記「プロセッサ」が制御するものといえる。
　してみると，引用文献１には，
　前記「無線端末」の前記「プロセッサ」が“閉域通信網内の，呼掛けに応答がある他の端末のリストである端末リストを作成し，記憶し，更新”することが記載されていると認められる。
（ウ）前記Ｅの段落【００３９】の「応答メッセージ１０２は・・・（中略）・・・送信端末公開鍵１０２Ｄ・・・（中略）・・・を含む。」，段落【００４０】の「このように，各無線端末１（１Ａ，１Ｂ，１Ｃ）は，呼掛けメッセージ１０１または応答メッセージ１０２を受信する」との記載，及び，前記Ｅの段落【００４２】の「無線端末１Ａは，無線端末１Ｂ，１Ｃとの間に設定したＰ−Ｐコネクションを通して，新規ＣＵＧで使用する共通暗号キーを設定した配布メッセージ１０３をそれぞれの端末に送信する。上記共通暗号キーの配布メッセージ１０３は・・・（中略）・・・相手端末の公開鍵によって暗号化された共通暗号キー１０３Ｃとを含む。」との記載，及び，前記Ｄの段落【００２６】の「Ｐ−Ｐ（Point-to-Point)コネクション」との記載からすると，
　無線端末が受信する応答メッセージに含まれる相手端末の「公開鍵」は，Point-to-Pointコネクションで送信されるデータを暗号化する鍵であることが読み取れる。
　また，前記Ｅの段落【００４６】の「図７は，グループ通信を行っている無線端末１（１Ａ，１Ｂ，１Ｃ）が，通信フェーズ１１において，ＣＵＧの構成端末を定期的に確認し，端末リスト２６０Ｂを定期的に更新するためのキープアライブの処理シーケンスを示す。」，及び，段落【００４７】の「キープアライブメッセージ１０６を受信した各無線端末（１Ａ，１Ｃ）は，キープアライブ応答として，自端末におけるグループ通信の継続を通知するための継続メッセージ１０７をマルチキャストする。上記継続メッセージ１０７は・・・（中略）・・・送信端末の公開鍵１０７Ｅを含み」との記載からすると，
　前記「公開鍵」は，定期的なキープアライブ処理の応答として，定期的に受信されるものであることが読み取れる。
　してみると，引用文献１には，
　前記「無線端末」の前記「プロセッサ」が“Point-to-Pointコネクションを暗号化する相手端末の公開鍵を定期的に受信”することが記載されていると認められる。
（エ）前記Ｂの段落【０００９】の「本発明の好ましい実施例では，グループ通信の開始を示す制御メッセージの送信に先立って，上記第１の通信端末からグループ構成端末にグループ通信で使用すべき暗号キーを通知するステップを含む。」との記載，及び，前記Ｃの段落【００１６】の「尚，上記各無線端末が，ＣＵＧ毎に固有の暗号キーを用いて，送信メッセージの特定情報部分，例えば，ユーザ情報と特定の制御情報を暗号化し，ＣＵＧ構成端末のみに上記暗号化情報の解読キーを配布しておけば，ＣＵＧ構成端末以外の端末によるメッセージの傍受を防止した閉域性の高いグループ通信を実現できる」との記載，前記Ｅの段落【００４５】の「上記共通暗号キーによって暗号化された情報は，同一の共通暗号キーを持つＣＵＧ構成端末においてのみが復号化できるため，ＣＵＧの各構成端末１（１Ａ，１Ｂ，１Ｃ）は閉域性の高いグループ通信を行うことが可能となる。」との記載からすると，
　「共通暗号キー」は，グループ通信に用いる，閉域通信網（ＣＵＧ）毎に固有の暗号鍵であることが読み取れる。
　さらに，前記Ｅの段落【００４２】の「無線端末１Ａは，無線端末１Ｂ，１Ｃとの間に設定したＰ−Ｐコネクションを通して，新規ＣＵＧで使用する共通暗号キーを設定した配布メッセージ１０３をそれぞれの端末に送信する。上記共通暗号キーの配布メッセージ１０３は・・・（中略）・・・相手端末の公開鍵によって暗号化された共通暗号キー１０３Ｃとを含む。」との記載からすると，
　無線端末が，新規の閉域通信網（ＣＵＧ）で使用する前記「共通暗号キー」を，相手端末の前記「公開鍵」で暗号化し，暗号化された前記「共通暗号キー」をそれぞれの端末に送信することが読み取れる。
　そして，上記で検討したように，前記「共通暗号キー」は閉域通信網毎に固有であるから，新規の閉域通信網で使用する「共通暗号キー」は，新規の「共通暗号キー」であるといえる。
　してみると，引用文献１には，
　前記「無線端末」の前記「プロセッサ」が“グループ通信に用いる，新規の共通暗号キーを，相手端末の前記公開鍵で暗号化し，暗号化された前記共通暗号キーをそれぞれの端末に送信”することが記載されていると認められる。
（オ）前記Ｆの段落【００６０】の「ＣＵＧの他の構成端末（１Ａ，１Ｂ，１Ｃ）は，上記離脱通知メッセージ１１２を受信すると，受信メッセージが示す離脱端末１Ｄのアドレスを端末リスト２６０Ｂから削除し・・・（中略）・・・その後，各構成端末は，キープアライブタイマ（Ｃ）をランダムな設定値で再起動する。これによって，キープアライブタイマが最初にタイムアウトした無線端末がキープアライブ処理を開始し，ＣＵＧで使用する暗号キーを更新することになる。」との記載，及び，前記Ｅの【００４６】の「無線端末１Ｂは，キープアライブタイマがタイムアウトすると，キープアライブ要求メッセージ１０６をマルチキャストし，一定期間（Ｔ３）応答を待つ。」，段落【００４９】の「キープアライブメッセージ１０６の送信元となった無線端末１Ｂは，継続メッセージ１０７を返送した各無線端末との間にＰ−Ｐコネクションを設定し，配布メッセージ１０３によって新たな共通暗号キーを配布する。」，段落【００４２】の「無線端末１Ａは，無線端末１Ｂ，１Ｃとの間に設定したＰ−Ｐコネクションを通して，新規ＣＵＧで使用する共通暗号キーを設定した配布メッセージ１０３をそれぞれの端末に送信する。上記共通暗号キーの配布メッセージ１０３は・・・（中略）・・・相手端末の公開鍵によって暗号化された共通暗号キー１０３Ｃとを含む。」との記載からすると，
　無線端末が，離脱端末のアドレスを前記「端末リスト」から削除し，その後，キープアライブ処理を開始して閉域通信網（ＣＵＧ）で使用する暗号キーを更新し，Ｐ−Ｐコネクションで「新たな共通暗号キー」をそれぞれの端末に送信して，該「新たな共通暗号キー」は，相手端末の公開鍵によって暗号化されていることが読み取れる。
　してみると，引用文献１には，
　前記「無線端末」の前記「プロセッサ」が“離脱端末を端末リストから削除した後に，更新用の新たな共通暗号キーを，相手端末の公開鍵で暗号化し，暗号化された前記共通暗号キーをそれぞれの端末に送信”することが記載されていると認められる。
（カ）以上，（ア）〜（オ）で検討した事項から，引用文献１には，次の発明（以下，「引用発明」という。）が記載されているものと認める。
「分散型無線ネットワークである閉域通信網内の端末と通信する送受信回路と，通信メッセージの送受信を制御するプロセッサとを備える無線端末であって，
　前記プロセッサが，
　閉域通信網内の，呼掛けに応答がある他の端末のリストである端末リストを作成し，記憶し，更新し，
　Point-to-Pointコネクションを暗号化する相手端末の公開鍵を定期的に受信し，
　グループ通信に用いる，新規の共通暗号キーを，相手端末の前記公開鍵で暗号化し，暗号化された前記共通暗号キーをそれぞれの端末に送信し，
　離脱端末を端末リストから削除した後に，更新用の新たな共通暗号キーを，相手端末の公開鍵で暗号化し，暗号化された前記共通暗号キーをそれぞれの端末に送信する
　無線端末。」
イ．引用文献２に記載されている技術的事項及び引用発明２
　本願優先日前に頒布され，原審拒絶理由において引用された，特開２０００−３１９５５号公報（平成１２年１月２８日公開，以下，「引用文献２」という。）には，関連する図面とともに，以下の技術的事項が記載されている。（当審注：下線は，参考のために当審で付与したものである。）
Ｇ．「【００２９】図１は，
各参加者１０１が，マルチキャスト・データ接続部１０２を介してデータ・マルチキャスト・グループ１０３にデータ・パケットを伝達することによって，送信側および／または受信側となることができる構成を示す。
全ての参加者１０１が共有する秘密情報を用いてデータが暗号化される。
・・・（中略）・・・
【００３４】
承認制御コンポーネント１１０は，グループ・キー管理コンポーネント１０８と通信し，これに加入および離脱を報告する。グループ管理コンポーネント１０８は，加入および離脱動作を管理し，キー管理コンポーネント１０９に必要なキー変更（以下で説明する）を行わせるメッセージを確立し発生する。
Ｈ．「【００４０】図３は，各参加者１０１内のトラフィック分散コンポーネントをブロック図形態で示しており，ネットワーク・インターフェース２０１，ネットワーク・ドライバ２０２および物理通信ネットワーク２０７を含む。これらのコンポーネントは，特定のネットワーク環境の必要性を満たす入手可能なハードウエアおよびソフトウエアのソリューションを用いて実施すると便利である。
【００４１】トラフィック暗号化コンポーネント２０３は，実際にデータを送るコンポーネントである。
トラフィック暗号化コンポーネント２０３は対称なトラフィック暗号化キー（ＴＥＫ）を保持する。ＴＥＫはグループ・キー管理コンポーネント１０８により発生され
トラフィック暗号化コンポーネント２０３はＴＥＫを用いて，送出すべきデータを暗号化し，受信したデータを解読する。
・・・（中略）・・・
【００４３】本発明の分散平面型の実施態様によれば，
承認制御コンポーネント１１０は，各参加者１０１内に実装される。このようにして，各参加者１０１はアクセス制御動作を行うことができる。また，各参加者１０１は，グループ・マネージャ・コンポーネント１０８を含む。
Ｉ．「【００７１】離脱動作の期間，１つ以上の参加者１０１におけるアクセス制御コンポーネント１１０は，１つ以上の参加者１０１がグループを離脱しているので，これらにはもはやグループ・マルチキャスト・メッセージの受信を許可しないことを他の参加者１０１内のグループ・キー管理コンポーネントに通知する。アクセス制御コンポーネント１１０は，これらの参加者１０１を開始させ，または廃棄することができる。あるいは，単に参加者自体が残っていることを検出しただけという場合もある。
【００７２】
１つの参加者１０１（「締め出し側」）が他の参加者１０１を廃棄することを決定した場合，締め出し側は新たなＴＥＫ’を選択し，廃棄される参加者１０１とは共有しないことを知っている全てのＫＥＫ暗号化キーを用いてＴＥＫ’を暗号化する。
締め出し側である参加者は，この情報をテーブルに入力し，これをグループに送る。
新たなＴＥＫを理解することができる全ての参加者は，それを解読し，それを使い始め，それが保持する
Ｊ．「【００７６】
承認制御に対する変更がキー更新メッセージと同期することが最良である。
　ここで，上記引用文献２に記載されている事項を検討する。
（ア）前記Ｇの段落【００２９】の「各参加者１０１が，マルチキャスト・データ接続部１０２を介してデータ・マルチキャスト・グループ１０３にデータ・パケットを伝達することによって，送信側および／または受信側となることができる構成を示す。」との記載，及び，前記Ｈの段落【００４３】の「承認制御コンポーネント１１０は，各参加者１０１内に実装される。このようにして，各参加者１０１はアクセス制御動作を行うことができる。また，各参加者１０１は，グループ・マネージャ・コンポーネント１０８を含む。」との記載からすると，
　マルチキャスト・グループの「参加者」は，アクセス制御を行う「承認制御コンポーネント１１０」，及び，「グループ・マネージャ・コンポーネント１０８」を含むものであることが読み取れる。
（イ）前記Ｇの段落【００２９】の「全ての参加者１０１が共有する秘密情報を用いてデータが暗号化される。」との記載，及び，前記Ｈの段落【００４１】の「トラフィック暗号化コンポーネント２０３は対称なトラフィック暗号化キー（ＴＥＫ）を保持する。ＴＥＫはグループ・キー管理コンポーネント１０８により発生され」，「トラフィック暗号化コンポーネント２０３はＴＥＫを用いて，送出すべきデータを暗号化し，受信したデータを解読する。」との記載，及び，上記（ア）の検討からすると，
　前記「グループ・マネージャ・コンポーネント１０８」は，マルチキャストデータを暗号化する暗号化キーＴＥＫを発生するコンポーネントであることが読み取れる。
（ウ）前記Ｇの【００３４】の「承認制御コンポーネント１１０は，グループ・キー管理コンポーネント１０８と通信し，これに加入および離脱を報告する。グループ管理コンポーネント１０８は，加入および離脱動作を管理し，キー管理コンポーネント１０９に必要なキー変更（以下で説明する）を行わせるメッセージを確立し発生する。」との記載，及び，前記Ｉの【００７２】の「１つの参加者１０１（「締め出し側」）が他の参加者１０１を廃棄することを決定した場合，締め出し側は新たなＴＥＫ’を選択し，廃棄される参加者１０１とは共有しないことを知っている全てのＫＥＫ暗号化キーを用いてＴＥＫ’を暗号化する。」，「締め出し側である参加者は，この情報をテーブルに入力し，これをグループに送る。」，「新たなＴＥＫを理解することができる全ての参加者は，それを解読し，それを使い始め，それが保持する」との記載，及び，上記（イ）の検討からすると，
　前記「参加者」の前記「承認制御コンポーネント１１０」及び前記「グループ・マネージャ・コンポーネント１０８」は，他の参加者が離脱する場合，マルチキャストデータを暗号化する新たな暗号化キーＴＥＫを生成し，暗号化し，グループに送信するものであることが読み取れる。。
（エ）前記Ｊの【００７６】の「承認制御に対する変更がキー更新メッセージと同期することが最良である。」との記載，及び，上記（ア）〜（ウ）の検討からすると，
　前記「参加者」は，他の参加者が離脱する処理と同期して，マルチキャストデータを暗号化する新たな暗号化キーＴＥＫを生成し，暗号化し，グループに送信することが最良であることが読み取れる。
（オ）以上で検討した事項から，引用文献２には，次の発明（以下，「引用発明２」という。）が記載されているものと認める。
「マルチキャスト・グループの参加者は，他の参加者が離脱する処理と同期して，マルチキャストデータを暗号化する新たな暗号化キーＴＥＫを生成し，暗号化し，グループに送信する方法」
（３）参考文献
ア．参考文献１に記載されている技術的事項
　本願優先日前に頒布され，原審拒絶理由において引用された，特表２００５−５２４２８０号公報（平成１７年８月１１日公表，以下，「参考文献１」という。）には，関連する図面とともに，以下の技術的事項が記載されている。（当審注：下線は，参考のために当審で付与したものである。）
Ｋ．「【０００８】
　図１は，本発明の一実施形態を示す構成図である。ノード０は，一定の場所に設置され，ネットワークバックボーンへのアクセスを提供し得る。ある実施形態によれば，ノード０は，例えば喫茶店等の公共の場に設置しても良いが，本発明はこれに限定されるものではない。上記実施形態においては，ノード０は公衆にインターネットへのアクセスを提供するものであっても良い。言うまでも無く，当業者であれば，ノードが，公用と私用とを問わず多様な場所に設けられ得るものであって，様々なネットワークへのアクセスを提供し得ることを認識するであろう。」
Ｌ．「【００２３】
　図２はまた，ノードレット４が，ノードレット１の通信範囲１０１とノードレット２の通信範囲２０１の双方の圏内にある実施形態を示す。図４は，
任意のノードレットが一以上のノードレットからディスカバリブロードキャストを受信する場合
ノードレットは，例えば，放送ノードレットの信号強度，放送ノードレットに関連付けられた中継ノードレットの数，ノードレットの通信範囲，放送ノードレットのネットワークスループット，放送ノードレットに関連付けられた，サービスの質を示すマーカ，一またはそれ以上の放送ノードレットとの先の通信の状況等，多様な要素を用いて，他のノードレットよりもある放送ノードレットを選択し得る。
イ．参考文献２に記載されている技術的事項
　本願優先日前に頒布され，原審拒絶理由において引用された，特開２００６−５０４６０号公報（平成１８年２月１６日公開，以下，「参考文献２」という。）には，関連する図面とともに，以下の技術的事項が記載されている。（当審注：下線は，参考のために当審で付与したものである。）
Ｍ．「【００２４】
　
選択部１０４は，収集されたグループ優先度，ルートノードＩＤ，及びホップ数に基づいて，上位接続先の無線ノードを選択する。
収集部１０３が規定時間ｔの間，周囲の無線ノードの状態情報を収集しリスト化する
選択部１０４は，収集された状態情報に基づいて上位接続先の無線ノードとして候補となる無線ノードを選択する。
ウ．参考文献３に記載されている技術的事項
　本願優先日前に頒布された，間瀬憲一，阪田史郎，「アドホック・メッシュネットワーク　−ユビキタスネットワーク社会の実現に向けて−」，コロナ社，第１〜３頁ページ（２００７年９月２０日発行，以下，「参考文献３」という。）には，関連する図面とともに，以下の技術的事項が記載されている。（当審注：下線は，参考のために当審で付与したものである。）
Ｎ．「１．１　基　本　概　念
モバイルアドホックネットワーク（ＭＡＮＥＴ：ｍｏｂｉｌｅ　ａｄ　ｈｏｃ　ｎｅｔｗｏｒｋ，以下では単にＭＡＮＥＴ）は，端末のみによって端末相互の通信を実現する技術である。
Ｏ．「
宛先との距離が長かったり見通しがなかったりすると，直接通信ができないため，中間に存在する他の端末を中継して通信する。このような通信形態をマルチホップ通信という。このように， ＭＡＮＥＴでは端末（ＩＰネットワークではホストと呼ばれる）が中継機能も実現することになる。
ＭＡＮＥＴではホストがルータの役割も兼ねる。本章ではＭＡＮＥＴルーティングが動作するホストやルータを一般的にノードと呼ぶことにする。
Ｐ．「ここでＭＡＮＥＴの特徴はつぎのようにまとめられる。
（１）　ノードはユーザ端末（ホスト）であり，移動性を有する。
（２）　一時的に利用されるネットワーク。
（３）　有線ケーブルの配線を必要とせず，ノードだけで構成されるネットワーク。
（４）　
ノードはルータの役割を兼ね，無線マルチホップ通信が行われる。
（５）　ノードの移動，無線通信の特性によりネットワークトポロジーが頻繁に変更する可能性がある。
（６）　無線マルチホップに最適化したルーティングプロトコルが利用される。」（２頁下から８行〜３頁１行）
エ．参考文献４に記載されている技術的事項
　本願優先日前に頒布された，国際公開第２００７／０９５９９５号（２００７年８月３０日公開，以下，「参考文献４」という。）には，関連する図面とともに，以下の技術的事項が記載されている。（当審注：下線は，参考のために当審で付与したものである。また，日本語訳は，引用文献の翻訳文である特表２００９−５２７９５５号公報の段落【００３５】の記載を用いた。）
Ｑ．「
」（１８頁２３〜３３行）
（日本語訳：「原則的に，
ポイントツーポイント接続（ユニキャスト）は
エンドツーエンド接続の両方を包含する
エンドツーエンド通信の場合，発呼転送用に常に中間ステーションが用いられる。この文脈において，マルチホップ通信についても参照されたい。
（４）対比
ア．本件補正発明と引用発明とを対比する。
（ア）引用発明の「閉域通信網」は，分散型の無線ネットワークであるから，本件補正発明の「分散無線通信網」に相当し，
　引用発明の「閉域通信網内の端末」は，閉域通信網（分散無線通信網）内のアクセスされる装置であるから，本件補正発明の「分散無線通信網の少なくとも１つのアクセスノード」に相当し，
　引用発明の「閉域通信網内の端末と通信する送受信回路」は，本件補正発明の「分散無線通信網の少なくとも１つのアクセスノードと通信するための通信インターフェース」に相当し，
　引用発明の「プロセッサ」は，本件補正発明の「プロセッサ」に相当することは明らかであり，
　引用発明の「無線端末」は，閉域通信網内の端末と通信する，すなわち，「閉域通信網」（分散無線通信網）にアクセスする端末であるから，本件補正発明の「分散無線通信網にアクセスするためのアクセス端末」に相当する。
　したがって，引用発明の「分散型無線ネットワークである閉域通信網内の端末と通信する送受信回路と，通信メッセージの送受信を制御するプロセッサ」とを備える「無線端末。」は，本件補正発明の「分散無線通信網の少なくとも１つのアクセスノードと通信するための通信インターフェースと，前記通信インターフェースに結合されたプロセッサ」を備えた「分散無線通信網にアクセスするためのアクセス端末。」に相当する。
（イ）引用発明の「端末リスト」は，呼掛けに応答がある他の端末のリスト，すなわち，前記無線端末から見て活性（アクティブ）な端末の集合（セット）を示すリストであるから，本件補正発明の「アクティブセットリスト」に相当する。
　該「端末リスト」を作成し，記憶し，更新することは，換言すると，該「端末リスト」を維持することといえる。
　したがって，引用発明の「閉域通信網内の，呼掛けに応答がある他の端末のリストである端末リストを作成し，記憶し，更新」することは，本件補正発明の「アクセス端末のアクティブセット内にあるアクセスノードのアクティブセットリストを維持」することに相当する
（ウ）引用発明の「相手端末」は，閉域通信網内のグループ通信の相手となる端末であるから，本件補正発明の「前記アクティブセット内の各アクセスノード」に相当し，
　引用発明の「相手端末の公開鍵」は，Point-to-Pointコネクション，すなわち，１対１の通信において暗号化を行う鍵であるから，「ユニキャスト鍵」といえ，さらに，該「相手端末の公開鍵」は，相手端末から定期的に最新の鍵が受信されるものであるから一時的な鍵といえるので，本件補正発明の「一時ユニキャスト鍵」に相当する。
　したがって，引用発明の「Point-to-Pointコネクションを暗号化する相手端末の公開鍵を定期的に受信」することは，本件補正発明の「前記アクティブセット内の各アクセスノードの一時ユニキャスト鍵を入手」することに相当する。
（エ）引用発明の「グループ通信に用いる，新規の共通暗号キー」は，無線端末と相手端末との間のグループ通信に用いる鍵であるから，本件補正発明の，「前記アクセス端末と前記アクティブセット内の前記アクセスノードとの間の通信のため」の「第１グループ鍵」に相当する。
　また，前記「新規の共通暗号キー」は，新しいデータであるから，何らかの方法により「生成」されたデータと解するのが妥当である。
　さらに，前記（ウ）で検討したように，引用発明の「相手端末」及び「相手端末の公開鍵」は，本件補正発明の「アクセスノード」，「一時ユニキャスト鍵」に相当し，「共通暗号キー」（第１グループ鍵）は，それぞれの相手端末（アクセスノード）に対応する異なる公開鍵（一時ユニキャスト鍵）で暗号化されるものであるから，
　引用発明の「新規の共通暗号キーを，相手端末の前記公開鍵で暗号化」することは，本件補正発明の「前記アクティブセット内の第１アクセスノードの第１一時ユニキャスト鍵を用いて前記第１グループ鍵を暗号化」すること，及び，「前記アクティブセット内の他のアクセスノードの他の一時ユニキャスト鍵を用いて前記第１グループ鍵を暗号化」することに相当する。
　そして，引用発明の「暗号化された前記共通暗号キーをそれぞれの端末に送信」することは，本件補正発明の「前記暗号化された第１グループ鍵を前記第１アクセスノードに送信する」こと，及び，「前記暗号化された第１グループ鍵のそれぞれを，対応するアクセスノードに送信し，各第１グループ鍵は，前記対応するノードの一時ユニキャスト鍵で暗号化され」に相当する。
　したがって，引用発明の「グループ通信に用いる，新規の共通暗号キーを，相手端末の前記公開鍵で暗号化し，暗号化された前記共通暗号キーをそれぞれの端末に送信」することは，本件補正発明の「前記アクセス端末と前記アクティブセット内の前記アクセスノードとの間の通信のために第１グループ鍵を生成し」，「前記アクティブセット内の第１アクセスノードの第１一時ユニキャスト鍵を用いて前記第１グループ鍵を暗号化し」，「前記暗号化された第１グループ鍵を前記第１アクセスノードに送信する」こと，及び，
「前記アクティブセット内の他のアクセスノードの他の一時ユニキャスト鍵を用いて前記第１グループ鍵を暗号化し」，「前記暗号化された第１グループ鍵のそれぞれを，対応するアクセスノードに送信し，各第１グループ鍵は，前記対応するノードの一時ユニキャスト鍵で暗号化され」ることに相当する。
（オ）引用発明の「離脱端末を端末リストから削除した後に，更新用の新たな共通暗号キーを，相手端末の公開鍵で暗号化し，暗号化された前記共通暗号キーをそれぞれの端末に送信する」ことと，本件補正発明の「アクセスノードがそのアクティブセットから除去される時に，前記第１グループ鍵を第２グループ鍵に置換し，前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される」ことの両者を対比する。
　引用発明の「離脱端末を端末リストから削除」することは，本件補正発明の「アクセスノードがそのアクティブセットから除去」されることに相当する。
　引用発明の「更新用の新たな共通暗号キー」は，更新前のグループ鍵を更新，すなわち，置換するものであるから，本件補正発明の「第２グループ鍵」に相当する。
　前記（エ）で検討した，引用発明の更新前の「共通暗号キー」は，本件補正発明の「第１グループ鍵」に相当する。
　前記（ウ）で検討したように，引用発明の「相手端末」及び「相手端末の公開鍵」は，本件補正発明の「アクセスノード」，「一時ユニキャスト鍵」に相当する。
　よって，引用発明の「更新用の新たな共通暗号キーを，相手端末の公開鍵で暗号化し，暗号化された前記共通暗号キーをそれぞれの端末に送信する」ことは，本件補正発明の前記第１グループ鍵を第２グループ鍵に置換し，前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される」ことに相当する。
　したがって，前記両者は，後記する点で相違するものの，
　“アクセスノードがそのアクティブセットから除去された後に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される”である点で共通する。
イ．以上から，本件補正発明と引用発明とは，以下の点で一致し，また，以下の点で相違する。
（一致点）
「分散無線通信網の少なくとも１つのアクセスノードと通信するための通信インターフェースと，
　前記通信インターフェースに結合されたプロセッサであって，
　　アクセス端末のアクティブセット内にあるアクセスノードのアクティブセットリストを維持し，
　　前記アクティブセット内の各アクセスノードの一時ユニキャスト鍵を入手し，
　　前記アクセス端末と前記アクティブセット内の前記アクセスノードとの間の通信のために第１グループ鍵を生成し，
　　前記アクティブセット内の第１アクセスノードの第１一時ユニキャスト鍵を用いて前記第１グループ鍵を暗号化し，
　　前記暗号化された第１グループ鍵を前記第１アクセスノードに送信する
　ように構成されたプロセッサと
　を備え，
　前記プロセッサは，
　前記アクティブセット内の他のアクセスノードの他の一時ユニキャスト鍵を用いて前記第１グループ鍵を暗号化し，
　前記暗号化された第１グループ鍵のそれぞれを，対応するアクセスノードに送信し，各第１グループ鍵は，前記対応するノードの一時ユニキャスト鍵で暗号化され，
　アクセスノードがそのアクティブセットから除去された後に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される
　ようにさらに構成される，分散無線通信網にアクセスするためのアクセス端末。」
（相違点１）
　「アクティブセットリスト」に関して，
　本件補正発明では，「前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択」するのに対して，
　引用発明では，そのような選択処理は特定されていない。
（相違点２）
　前記第１グループ鍵を第２グループ鍵に置換するタイミングに関して，
　本件補正発明では，アクセスノードがそのアクティブセットから「除去される時に」，グループ鍵を置換するのに対して，
　引用発明では，アクセスノードがそのアクティブセットから「除去された後に」，グループ鍵を置換する点。
（５）当審の判断
　上記相違点１及び相違点２について検討する。
ア．相違点１について
　引用発明の「無線端末」の「プロセッサ」は，「閉域通信網内の，呼掛けに応答がある他の端末のリストである端末リストを作成し，記憶し，更新」するところ，
　複数の周囲のノードの情報から，信号強度や優先度等のノードの状態に基づいて，接続先のノードを選択する方法は，例えば，参考文献１（前記Ｋ，Ｌ参照），参考文献２（前記Ｍ参照）に記載されているように，本願優先日には，無線通信の技術分野において普通に採用される周知技術であった。
　してみると，引用発明に該周知技術を適用して，無線端末との間で無線通信を行うための他の端末，換言すれば，「前記アクセス端末への及び前記アクセス端末からの無線通信を行なうためのサービングアクセスノード」を，「端末リスト」から選択するように構成すること，すなわち，上記相違点１に係る構成とすることは，当業者が容易に想到し得たことである。
　なお，請求人は，審判請求書において，マルチホップ通信を使用するアドホックネットワークでない閉域通信網を対象とする原審拒絶理由の引用文献１記載の発明は，アドホックネットワークを対象とする原審拒絶理由の引用文献２，３（前記参考文献１，２）記載の発明と組み合わせできない旨を主張している。
　しかるに，複数の周囲のノードの情報から，信号強度や優先度等のノードの状態に基づいて，接続先のノードを選択する周知技術自体は，接続先のノードを選択する無線通信分野の一般的技術であって，マルチホップ通信やアドホックネットワーク特有の技術ではない。
　また，引用文献１の前記Ａの「閉域通信網とは，グループを形成する特定の通信端末間でのみ通信することができる通信網である。」，「初期状態で形成された閉域通信網の構成端末と新たに参加する通信端末との間でグループ構成端末を追加するための制御手順を実行することによって，閉域通信網の規模を柔軟に変更する。」との記載からすると，
　引用発明の「Point-to-Pointコネクション」や「グループ通信」を行う「閉域通信網」は，端末が自律的にその場で（アドホックに）構築するネットワークといえる。
　ここで，アドホックなネットワークがマルチホップ通信を行うことは，例えば，参考文献３（前記Ｎ，Ｏ，Ｐ参照）に記載されているように，本願優先日には，当該技術分野において普通に採用される周知技術であり，
　ポイントツーポイント接続（ユニキャスト）がマルチホップ通信を包含することも，例えば，参考文献４（前記Ｑ参照）に記載されているように，本願優先日には，当該技術分野において普通に採用される周知技術であった。
　してみれば，引用発明に前記参考文献１，２の周知技術を適用することに格別の阻害要因はない。
イ．相違点２について
　引用発明は，閉域通信網の無線端末が，離脱端末を端末リストから削除した後に，更新用の新たな共通暗号キーを，相手端末の公開鍵で暗号化し，暗号化された前記共通暗号キーをそれぞれの端末に送信するところ，
　引用発明２では，マルチキャスト・グループの参加者は，他の参加者が離脱する処理と同期して，マルチキャストデータを暗号化する新たな暗号化キーＴＥＫを生成し，暗号化し，グループに送信している。
　引用発明及び引用発明２は，いずれも，所定の端末が，グループ内で共有する新たな暗号鍵を暗号化して配布するという共通の機能を備えるものである。
　そうすると，引用発明に引用発明２を適用し，無線端末が，離脱端末（アクセスノード）を端末リストから削除した時に，グループ鍵を置換するようにすること，すなわち，相違点２に係る構成とすることは，当業者が容易に想到し得たことである。
イ．小括
　上記で検討したごとく，相違点１及び相違点２に係る構成は当業者が容易に想到し得たものであり，そして，これらの相違点を総合的に勘案しても，本件補正発明の奏する作用効果は，上記引用発明，引用発明２及び当該技術分野の周知技術の奏する作用効果から予測される範囲内のものにすぎず，格別顕著なものということはできない。
　したがって，本件補正発明は，上記引用発明，引用発明２及び当該技術分野の周知技術に基づいて，当業者が容易に発明をすることができたものであり，特許法第２９条第２項の規定により，特許出願の際独立して特許を受けることができない。
（６）むすび
　以上のように，本件補正は，上記「３　独立特許要件」で指摘したとおり，補正後の請求項１に記載された発明が，特許出願の際独立して特許を受けることができるものではないから，特許法第１７条の２第６項において準用する同法第１２６条第７項の規定に違反するので，同法第１５９条第１項において読み替えて準用する同法第５３条第１項の規定により却下すべきものである。
　よって，上記補正却下の決定の結論のとおり決定する。
第３　本願発明について
１．本願発明の認定
　平成２７年６月３日付けの手続補正は上記のとおり却下されたので，補正後の請求項１に対応する補正前の請求項に係る発明（以下，「本願発明」という。）は，平成２７年１月１４日付けの手続補正により補正された特許請求の範囲の請求項１に記載された事項により特定される，以下のとおりのものである。
「少なくとも１つのアクセスノードと通信するための通信インターフェースと，
　前記通信インターフェースに結合されたプロセッサであって，
　　アクセス端末のアクティブセット内にあるアクセスノードのアクティブセットリストを維持し，前記アクセス端末が，前記アクセス端末への及び前記アクセス端末からの無線通信を行なうためのサービングアクセスノードとして使用するために前記アクセスノードのアクティブセットリストからいずれかのアクセスノードを一方的に選択し，
　　前記アクティブセット内の各アクセスノードの一時ユニキャスト鍵を入手し，
　　前記アクセス端末と前記アクティブセット内の前記アクセスノードとの間の通信のために第１グループ鍵を生成し，
　　前記アクティブセット内の第１アクセスノードの第１一時ユニキャスト鍵を用いて前記第１グループ鍵を暗号化し，
　　前記暗号化された第１グループ鍵を前記第１アクセスノードに送信する
　ように構成されたプロセッサと
　を備え，
　前記プロセッサは，
　前記アクティブセット内の他のアクセスノードの他の一時ユニキャスト鍵を用いて前記第１グループ鍵を暗号化し，
　前記暗号化された第１グループ鍵のそれぞれを，その一時ユニキャスト鍵を用いて前記第１グループ鍵を暗号化した対応するアクセスノードに送信し，
　アクセスノードがそのアクティブセットから除去される時に，前記第１グループ鍵を第２グループ鍵に置換し，
　前記第２グループ鍵の暗号化された版をそのアクティブセット内の前記アクセスノードに配布し，前記第２グループ鍵の前記暗号化された版は，前記アクティブセット内の各アクセスノードの前記一時ユニキャスト鍵を用いて暗号化される
　ようにさらに構成される，アクセス端末。」
２．引用文献に記載されている技術的事項及び引用発明
　原査定の拒絶の理由に引用された引用発明，引用発明２は，前記「第２　平成２７年６月３日付けの手続補正についての補正却下の決定」の「３．独立特許要件」の「（２）引用文献」に記載したとおりである。
３．対比・判断
　本願発明は，前記「第２　平成２７年６月３日付けの手続補正についての補正却下の決定」の「３．独立特許要件」で検討した本件補正発明の「アクセスノード」及び「アクセス端末」から，「分散無線通信網」に係る事項を削除し，「各第１グループ鍵は，前記対応するノードの一時ユニキャスト鍵で暗号化され」る処理の表現を変更したものである。
　そうすると，本願発明の発明特定事項を全て含む本件補正発明が，前記「第２　平成２７年６月３日付けの手続補正についての補正却下の決定」の「３．独立特許要件」の「（２）引用文献」乃至「（５）当審の判断」に記載したとおり，引用発明，引用発明２及び当該技術分野の周知技術に基づいて当業者が容易に発明をすることができたものであるから，上記特定の限定を省いた本願発明も同様の理由により，引用発明，引用発明２及び当該技術分野の周知技術に基づいて，当業者が容易に発明をすることができたものである。
４．むすび
　以上のとおり，本願の請求項１に係る発明は，特許法第２９条第２項の規定により特許を受けることができないものであるから，その余の請求項に係る発明について検討するまでもなく，本願は拒絶すべきものである。
　よって，結論のとおり審決する。